【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
ナット部(106)に対し付設され、平面視前記ナット部(106)の外周よりも外方にワッシャ上面(108S)が位置すると共に前記ナット部(106)と同一軸線周りに回転可能なワッシャ部(108)を備えるワッシャ付きホイールナットであって、前記ワッシャ上面(108S)には、ホイール側に位置する底壁(114B)、時計回り方向に位置する時計回り方向壁(114C)、及び、反時計回り方向に位置する反力受け壁(114CC)によって画定され、前記ワッシャ部(108)の上面側及び外周側が開口された凹部である反力受け部(114)が形成され、
前記反力受け部(114)は、前記ワッシャ部(108)の外周縁に対し僅か外側に位置する一点(ｃ)を中心とし、所定の半径(ｒ)の円(cr)上であって、時計回り方向に位置する前記時計回り方向壁(114C)、及び、反時計回り方向に位置する前記反力受け壁(114CC)によって画定された内側円弧側面(114i)、及び、前記底壁(114B)によって平面視底壁付の半円形に形成されていることを特徴とするワッシャ付きホイールナット。
【請求項２】
前記ナット部(106)は６角ナットであり、前記ワッシャ部(108)は円形であって、前記ナット部(106)の裏面(106B)から突出するワッシャ保持部(106W)に回転可能に支持されていることを特徴とする請求項１に記載したワッシャ付きホイールナット。
【請求項３】
ナット部(106)に対し付設され、平面視前記ナット部(106)の外周よりも外方にワッシャ上面(108S)が位置すると共に前記ナット部(106)と同一軸線周りに回転可能なワッシャ部(108)を備えるワッシャ付きホイールナットであって、前記ナット部(106)は６角ナットであり、前記ワッシャ部(108)は円形であって、前記ナット部(106)の裏面(106B)から突出するワッシャ保持部(106W)に回転可能に支持されると共に、前記ワッシャ部(108)の外周縁に対し僅か外側に位置する一点(ｃ)を中心とし、所定の半径(ｒ)の円(cr)上であって、時計回り方向に位置する時計回り方向壁(114C)、及び、反時計回り方向に位置する反力受け壁(114CC)によって画定された内側円弧側面(114i)、及び、底壁114Bによって平面視底壁付の半円形に形成された反力受け部(114)が設けられていることを特徴とするワッシャ付きホイールナット。
【請求項４】
ナット部(106)に対し付設され、平面視前記ナット部(106)の外周よりも外方にワッシャ上面(108S)が位置し、当該ワッシャ上面(108S)にワッシャ部(108)の外周縁に対し僅か外側に位置する一点(ｃ)を中心とし、所定の半径(ｒ)の円(cr)上であって、時計回り方向に位置する時計回り方向壁(114C)、及び、反時計回り方向に位置する反力受け壁(114CC)によって画定された内側円弧側面(114i)、及び、底壁114Bによって平面視底壁付の半円形に形成され反力受け部(114)が形成されると共に、前記ナット部(106)と同一軸線周りに回転可能なワッシャ部(108)を備えるワッシャ付きホイールナットの締め付けに用いるホイールナット締付機であって、出力トルクを設定可能な駆動手段(128)によって軸線周りを回転駆動されると共に、前記ナット部(106)に嵌合されるナット締付体(124)と、前記ナット締付体(124)の外周側において、前記ナット締付体(124)と同軸、かつ、前記ナット締付体(124)とは逆方向に回転駆動され、前記ワッシャ上面(108S)の反力受け部(114)に位置する突っ張り部(116)を備えることを特徴とするワッシャ付きホイールナット締付機。
【請求項５】
前記駆動手段が直流電気モータ(138)であることを特徴とする請求項４に記載したワッシャ付きホイールナット締付機。
【請求項６】
前記駆動手段が空気圧モータであることを特徴とする請求項５に記載したワッシャ付きホイールナット締付機。
【請求項７】
前記反力受け部(114)は、前記六角ナット部(106)の工具係止面(106P)の二倍の十二個が等間隔に形成されていることを特徴とする請求項３に記載したワッシャ付きホイールナット。
【手続補正２】
【補正対象書類名】明細書
【補正対象項目名】０００６
【補正方法】変更
【補正の内容】
【０００６】
この目的を達成するため、請求項１に係る第１の発明は以下のように構成されている。
ホイールナットに対し付設され、平面視前記ホイールナットの外周よりも外方にワッシャ上面が位置すると共に前記ホイールナットと同一軸線周りに回転可能なワッシャ部を備えるワッシャ付きホイールナットであって、前記ワッシャ上面には、ホイール側に位置する底壁、時計回り方向に位置する時計回り方向壁、及び、反時計回り方向に位置する反力受け壁によって画定され、前記ワッシャ部の上面側及び外周側が開口された凹部である反力受け部が形成され、前記反力受け部は、前記ワッシャ部の外周縁に対し僅か外側に位置する一点を中心とし、所定の半径の円上であって、時計回り方向に位置する前記時計回り方向壁、及び、反時計回り方向に位置する前記反力受け壁によって画定された内側円弧側面、及び、前記底壁によって平面視底壁付の半円形に形成されていることを特徴とするワッシャ付きホイールナットである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明に係る第２の発明は、前記ナット部は６角ナットであり、前記ワッシャ部は円形であって、前記ナット部の裏面から突出するワッシャ保持部に回転可能に支持されていることを特徴とする第１の発明のワッシャ付きホイールナットである。
【手続補正５】
【補正対象書類名】明細書
【補正対象項目名】０００９
【補正方法】変更
【補正の内容】
【０００９】
本発明に係る第３の発明は、ナット部に対し付設され、平面視前記ナット部の外周よりも外方にワッシャ上面が位置すると共に前記ナット部と同一軸線周りに回転可能なワッシャ部を備えるワッシャ付きホイールナットであって、前記ナット部は６角ナットであり、前記ワッシャ部は円形であって、前記ナット部の裏面から突出するワッシャ保持部に回転可能に支持されると共に、前記ワッシャ部の外周縁に対し僅か外側に位置する一点を中心とし、所定の半径の円上であって、時計回り方向に位置する時計回り方向壁、及び、反時計回り方向に位置する反力受け壁によって画定された内側円弧側面、及び、底壁によって平面視底壁付の半円形に形成された反力受け部が設けられていることを特徴とするワッシャ付きホイールナットである。
【手続補正６】
【補正対象書類名】明細書
【補正対象項目名】００１０
【補正方法】変更
【補正の内容】
【００１０】
本発明に係る第４の発明は、ナット部に対し付設され、平面視前記ナット部の外周よりも外方にワッシャ上面が位置し、当該ワッシャ上面にワッシャ部の外周縁に対し僅か外側に位置する一点を中心とし、所定の半径の円上であって、時計回り方向に位置する時計回り方向壁、及び、反時計回り方向に位置する反力受け壁によって画定された内側円弧側面、及び、底壁によって平面視底壁付の半円形に形成され反力受け部が形成されると共に、前記ナット部と同一軸線周りに回転可能なワッシャ部を備えるワッシャ付きホイールナットの締め付けに用いるホイールナット締付機であって、出力トルクを設定可能な駆動手段によって軸線周りを回転駆動されると共に、前記ナット部に嵌合されるナット締付体と、前記ナット締付体の外周側において、前記ナット締付体と同軸、かつ、前記ナット締付体とは逆方向に回転駆動され、前記ワッシャ上面の反力受け部に位置する突っ張り部を備えることを特徴とするワッシャ付きホイールナット締付機である。
【手続補正７】
【補正対象書類名】明細書
【補正対象項目名】００１１
【補正方法】変更
【補正の内容】
【００１１】
本発明に係る第５の発明は、前記駆動手段が直流電気モータであることを特徴とする第４の発明のワッシャ付きホイールナットの締付機である。
【手続補正８】
【補正対象書類名】明細書
【補正対象項目名】００１２
【補正方法】変更
【補正の内容】
【００１２】
本発明に係る第６の発明は、前記駆動手段が空気圧モータであることを特徴とする第４の発明のワッシャ付きホイールナット締付機である。
【手続補正９】
【補正対象書類名】明細書
【補正対象項目名】００１３
【補正方法】変更
【補正の内容】
【００１３】
本発明に係る第７の発明は、前記反力受け部は、前記六角ナット部の工具係止面数の二倍の十二個が等間隔に形成されていることを特徴とする第３の発明に記載したワッシャ付きホイールナットである。
【手続補正１０】
【補正対象書類名】明細書
【補正対象項目名】００１５
【補正方法】変更
【補正の内容】
【００１５】
さらに、本第１の発明においては、反力受け部は、ワッシャ部の外周縁に対し僅か外側に位置する一点を中心とし、所定の半径の円上であって、時計回り方向に位置する時計回り方向壁、及び、反時計回り方向に位置する反力受け壁によって画定された内側円弧側面、及び、底壁によって平面視底壁付の半円形に形成されている。したがって、突っ張り部を反力受け部よりも周方向において短く形成することにより、締付機をセットする場合、突っ張り部と反力受け部との位相が多少ずれていても突っ張り部を反力受け部に位置させることができるので、締付機の装着が容易である利点がある。
【手続補正１１】
【補正対象書類名】明細書
【補正対象項目名】００１６
【補正方法】変更
【補正の内容】
【００１６】
第２の発明によれば、基本的構成は第１の発明と同一であることから本発明における基本的目的である第１の目的を達成することができる。さらに、本第３の発明においては、ナット部は６角ナットであり、前記ワッシャ部は円形であって、前記ナット部の裏面から突出するワッシャ保持部に回転可能に支持されている。したがって、構造が簡単であり、かつ、製造も容易であるので、安価である利点がある。
【手続補正１２】
【補正対象書類名】明細書
【補正対象項目名】００１７
【補正方法】変更
【補正の内容】
【００１７】
第３の発明によれば、基本的構成は第１の発明と同一であることから本発明における基本的目的である第１の目的を達成することができる。さらに、本第４の発明においては、ナット部は６角ナットであり、ワッシャ部は円形であって、ナット部の裏面から突出するワッシャ保持部に回転可能に支持されると共に、ワッシャ部の上面側及び外周側が開口され、平面視周方向に所定の長さを有する凹部である反力受け部が形成されている。よって、突っ張り部を反力受け部よりも周方向において短く形成することにより、反力受け部との位相が多少ずれていても突っ張り部を反力受け部に位置させることができると共に、構造が簡単であり、かつ、製造も容易であるので、安価である利点がある。
【手続補正１３】
【補正対象書類名】明細書
【補正対象項目名】００１８
【補正方法】変更
【補正の内容】
【００１８】
第４の発明によれば、ナット締付体をナット部に嵌め合わせ、突っ張り部をワッシャ上面の反力受け部に位置させて、駆動手段を駆動させると、ナット部とワッシャ部とは互いに逆方向へ回転され、ナット部がホイールボルトにねじ込まれる。ナット部のねじ込み量増加に伴って、ワッシャ部はディスクホイールとの接触圧力が高まり、それらの間の摩擦力が大きくなって静止状態になる。これによって、突っ張り部がワッシャ部の反力受け部に当接して突っ張り部の回動が阻止された状態において、ナット締付体がナット部を締め付けるので、駆動手段において設定された所定のトルクでナット部締め付けられることができる。換言すれば、ナット部が駆動手段によって回転されなくなったことを以て、駆動手段において設定されたトルクでナット部が締め付けられたと言える。したがって、第５の発明によれば、第２の目的を達成できる利点がある。
【手続補正１４】
【補正対象書類名】明細書
【補正対象項目名】００１９
【補正方法】変更
【補正の内容】
【００１９】
第５の発明によれば、基本的構成は第４の発明と同一であることから本発明における第２の目的を達成することができる。さらに、駆動手段が直流電気モータであることから、電流を制御することによりトルクを容易に変更することができる利点がある。
【手続補正１５】
【補正対象書類名】明細書
【補正対象項目名】００２０
【補正方法】変更
【補正の内容】
【００２０】
第６の発明によれば、基本的構成は第４の発明と同一であることから、本発明の基本的目的である第２の目的を達成することができる。さらに、駆動手段が空気圧モータであることから、空気圧を制御することによりトルクを容易に変更することができる利点がある。
【手続補正１６】
【補正対象書類名】明細書
【補正対象項目名】００２１
【補正方法】変更
【補正の内容】
【００２１】
第７の発明によれば、基本的構成は第３の発明と同一であることから、本発明の基本的目的である第１の目的を達成することができる。さらに、反力受け部の数が六角ナット部の工具係止面数の二倍の十二個が等間隔に形成されていることから、ワッシャ付きホイールナットの締付機を用いてホイールナットを締め付ける際、突っ張り部と反力受け部との係合面積が大きいことから、大トルクで締め付けることができる利点がある。